(57)【要約】      （修正有）【課題】鍋、釜等の調理器具の焦げ付きを除去できると共に、除去された焦げ付きカス、油成分、等の清掃具を保持する手への付着も防止できるようにした取っ手付き金属たわしを提供する。【解決手段】棒状の取っ手２の後端に形成される下顎部３ａと上顎部３ｂからなる鰐口部にステンレスたわし６をつぶして挟み込み、ねじ締め４して固定させることにより、下顎部３ａ及び上顎部３ｂの外周から金属たわし６の外周を半円状に一定幅をはみ出させる。【選択図】図１
2014104237.tif 000002
【特許請求の範囲】
【請求項１】
ステンレス材等の金属を切削加工により連続繊維状に丸めた金属たわし玉を圧縮して一定厚みの円盤状とし、棒状の取っ手後端に設けた、下顎部と上顎部で構成される鰐口部に前記金属たわしを挿入し、前記下顎部と上顎部の間で、前記金属たわしを保持する固定手段によって固定し、前記鰐口部の外周に、前記金属たわしの円盤状外周が、略一定幅で半円状に突出するようにしたことを特徴とする取っ手付き金属たわし。
【請求項２】
前記請求項１に記載の取っ手付き金属たわしにおいて、前記金属たわし固定手段は、前記下顎部と上顎部の両内面側に、前記鰐口部の口先から口奥に向かって傾斜する複数の片屋根形の抜け止め歯を形成し、前記鰐口部内に前記円盤状の金属たわしを挿入し、前記下顎と上顎の間をねじ締して、前記金属たわしが前記鰐口部内で移動しないように固定したことを特徴とする取っ手付き金属たわし。
【請求項３】
前記請求項１に記載の取っ手付き金属たわしにおいて、前記金属たわし固定手段は、前記下顎部と上顎部構成される鰐口部内に、前記円盤状の金属たわしを挿入し、前記下顎部又は上顎部のいずれか一方の外側から他方の外側に向けて、複数の串ピンと１つの雌ねじ設けた串刺し部材を取付けて、前記串ピンを前記金属たわしに貫通させ、前記他方の外側から、前記串刺し部材の雌ねじに螺合する雄ねじを締めつけて、前記金属たわしが前記鰐口部内で移動しないように固定したことを特徴とする取っ手付き金属たわし。
【請求項４】
前記請求項１に記載の取っ手付き金属たわしにおいて、前記金属たわし固定手段は、前記下顎部と上顎部のいずれか一方を前記取っ手と一体に形成し、他方を独立した串刺し部材として複数の串ピンと雌ねじを設け、前記一方の下顎部又は上顎部の内側に前記金属たわしを組込み、その上に他方の串刺し部材を組付けて、前記串ピンを前記金属たわしに貫通させ、前記一方の下顎部又は上顎部の外側から前記雌ねじに螺合する雄ねじを締めつけて、前記金属たわしが前記鰐口部内で移動しないように固定したことを特徴とする取っ手付き金属たわし。
【発明の詳細な説明】
【技術分野】
【０００１】
鍋、釜、等の焦げ付きを除去するステンレスたわしに取っ手を付けて使い易くした発明で、調理器具の清掃具に類する物である。
【背景技術】
【０００２】
鍋、釜等の調理器具の焦げ付きを除去する清掃器具として、ステンレスたわし玉が市販され、重宝に利用しているが、使用した後、ステンレスたわしを保持する手に、除去された焦げ付きカス、油成分が付着し、汚くなり、後の手洗いが大変でした。対策として、ステンレスたわしを棒状の取っ手の後端に、下顎部と上顎部で構成する鰐口部を設け、ステンレスたわし玉ををつぶして挟み込み、ねじ締めして固定し、たわし玉の外周一定幅をはみ出させ、鍋、釜の底面と側面の両方の焦げ付きを容易に除去できるようにして、手の汚れを防止するようにしたものである。
【先行技術文献】
【特許文献】
【０００３】
【特許文献１】特開２００３−９３３０３号公報
【発明の概要】
【０００４】
前記先行文献は複数のステンレスたわし７を針金８によりベース板６に取付け、そのベース板に平行な取っ手１を取付けた物で、床や壁の清掃具として提案されているが、深みの有る鍋、釜等の調理具としては、取っ手が鍋、釜の中に入ってしまい、焦げ付きを見ながら擦る操作がし難く、しかも、鍋、釜の側面は容易に操作できない欠点を有している。
本案は、前記欠点を改善する為に、棒状の取っ手先端に下顎部と上顎で構成される鰐口部を形成し、その鰐口部に金属たわし玉を潰して挿入、ねじ締して固定する。その結果、前記鰐口部外周に前記金属たわしの外周が一定幅で半円状にはみ出して、鍋、釜の底面及び側面の焦げ付きを、手を汚さずに、容易に取れるようになり、しかも、ステンレスたわしが摩耗したり、汚れた時には、前記ねじ締を取り外し、金属わしを取り外して未使用の部分を外側に出す様に取付け位置の変更を可能にした、実用的な取っ手付き金属たわしの発明を提供する。  
【発明が解決しようとする課題】
【０００５】
（１）金属たわしの中心を保持し、外周をはみ出させて、取っ手に確実に保持させる構造。
（２）金属たわしが摩耗又は汚れた時は、交換又は位置変容易な構造。
（３）取っ手を持った手が洗浄水に触れず、汚れ位置を見ながら操作可能な取っ手構造。
【課題を解決するための手段】
【０００６】
(1  )取っ手後端部に下顎と上顎で構成する鰐口部を設け、金属たわし玉を潰して、前記鰐口部に挿入し、ねじ締して、金属たわしの外周が前記鰐口部の外周に一定幅ではみ出す構造とする。
（２）金属たわしが摩耗又は汚染した時は、前記ねじを取り外し、金属たわしの取付け位置変更または新品に交換を容易にした。
（３）取っ手は棒状とし、取っ手の先端を握り、焦げ付き位置に合わせて、擦り操作を底面及び側面の焦げ付きを選択的に操作を可能とし、洗浄水に手が触れず、手の汚れを防止する構造にした。
【発明の効果】
【０００７】
前記解決手段により、従来品に比べ、下記の点が大幅に改善される。
（１）金属たわしは、鰐口部に確実に保持され抜け出たり、変形させることがない。
（２）金属たわしは、ねじの操作で、たわしの取付け位置変更や、新品への交換が容易に出来る。
（３）取っ手の先端を握り、焦げ付き位置を見ながら選択的に底面や側面の細かい操作が可能で、しかも、洗浄水に手が触れず、手を汚さず、手の皮膚を荒らさずに操作できる。
【図面の簡単な説明】
【０００８】
【図１】本案第一実施例の全体斜視図
【図２】本案第一実施例のたわし固定部断面図(図１の断面A-A’)
【図３】本案第二実施例の全体斜視図
【図４】本案第二実施例のたわし固定部断面図(図3の断面B-B’)
【図５】本案第三実施例の全体斜視図
【図６】本案第三実施例のたわし固定部断面図(図5の断面C-C’)
【発明を実施するための形態】
【０００９】
以下に図１から図６を参照して本案の構造と使用方法を説明する。
先ず本案第一実施例の構造を図1と図２により説明する。
図１は１取っ手付き金属たわしの組付け完成状態を示し、２取っ手は棒状で先端には２a掛け留め穴を設け、後端に３a下顎部と３b上顎部で構成される３鰐口部を設け、前記３a下顎部及び３b上顎部の内側には３鰐口部の口先から口奥に向けて傾斜する片屋根形の３c抜け止め歯を複数設け、６金属たわしは、ステンレスたわし玉を円盤状に潰して、前記３鰐口部に挿入し、３a下顎部の外側から３b上顎部側に向けて６金属たわしを貫通して４雄ねじを締めて、図２のA-A’断面図の様に前記６金属たわしの外周は３a下顎部及び３c上顎部の外周から略一定幅で半円状にはみ出して、焦げ付きを擦る部位を構成し、組付けを完成して図１の状態になる。
次に本案の第二実施例を図３と図４により説明する。
第一実施例との相違点は、前記の３c抜け止め歯を廃止して、代わりに７串刺し部材を用いたことである。図４のB-B’断面図の様に、３b上顎部の外側から、４本の７a串ピンと５雌ねじを設けた７串刺し部材を６金属たわしを貫通して差し込み、３a下顎部の外側から４雄ねじを前記５雌ねじに締付け、６金属たわしの外周は３a下顎部及び３c上顎部の外周から略一定幅で半円状にはみ出して、焦げ付きを擦る部位を構成し、組付けを完成して図３の状態になる。
次に本案の第三実施例を図５と図６により説明する。
第二実施例との相違点は、３b上顎部と７串刺し部材を一体にして、２取っ手から独立した８上顎串部材とし、４本の７a串ピンと５雌ねじを備え、図６のC-C’断面図に示す様に、３a下顎部の上に６金属たわしを組付け、その上から８上顎串部材の７a串ピンを６金属たわしを貫通して組付け、３a下顎部の外側から４雄ねじを差し込んで５雌ねじに締めつけ、６金属たわしの外周は３a下顎部及び８上顎串部材の外周から略一定幅で半円状にはみ出して、焦げ付きを擦る部位を構成し、組付けを完成して図５の状態になる。
構成部品の使用材質は、２取っ手と８上顎串部材は、熱可塑性成形材料で高密度ポリエチレン、ポリアセタール、６６ナイロン等が好ましい。
７串刺し部材はステンレス鋼板としてSUS201等のプレス加工が好ましい。４雄ねじはステンレス線材のヘッダー加工が好ましい。
【００１０】
次に本案の使用方法と特徴とメンテナンス方法を説明する。
使用方法は２取っ手の先端側を上にして手で握り、焦げ付きヶ所を見ながら６金属たわしを擦りつけて除去するもので、特徴は６金属たわしの外周が前記下顎部及び上顎部から略一定幅で半円状にはみ出しており、鍋、釜の底面と側面の焦げ付きを２取っ手を立てた状態で縦横二方向に選択的に使用できることで、使い勝手が良く、金属たわしに手を触れずに行えるので、手が汚れず、衛生的である。
第一実施例の特徴は、部品点数が少なく、組付け性が良いことである。しかし、3c抜け止め歯を形成する金型加工費と成形加工がやや不利になる。
第二実施例の特徴は、金型加工費は少なくなるが、７串刺し部材の部品費と組付け費の増加が有るが、６金属たわしの固定性能は向上する。
第三実施例の特徴は、第二実施例と比較して、金型費は増加するが、部品点数が少なくなり、組付け費が低減できる。６金属たわしの固定性能は同等である。 
メンテナンスとしては、何れの実施例も、金属たわしが汚れた場合は、前記４雄ねじを取り外し、６金属たわしを取出して、適切な新しい位置にずらし、再組付けすれば良く、新品の金属たわしに交換する要領も前記と同じである。
金属たわしは、金属ブラシと異なり、相手に傷を付けず、確実に焦げ付き等を取り除く優れた機能を有し、手を汚さずに、細かい操作を目で確認しながら縦横選択的に操作出来ることが本案の特徴である。
【産業上の利用可能性】
【００１１】
鍋、釜等の調理具の焦げ付き除去にはステンレスたわしが最適なことは良く知られているが、手で直接摘まんで作業すると、どうしても手に焦げ付きのカスや油成分が付着し、後の手の手入れが大変でした。本案の「取っ手付き金属たわし」を用いれば前記の問題点も改善され、操作もしやすくなり、料理を行う関係者に多大な効果を提供できると自負しています。
製造コストも少なく、量産すればコストも安く、全てのステンレスたわし愛用者に喜んで使用されると確信しています。
【符号の説明】
【００１２】
１取っ手付き金属たわし全体、２取っ手、２a掛け留め穴、３鰐口部、３a下顎部、３b上顎部、３c抜け止め歯、３d串ピン孔、４雄ねじ、５雌ねじ、６金属たわし、７串刺し部材、７a串ピン、８上顎串部材、D金属たわし円盤外径、d上顎部及び下顎部外径、
【図１】
2014104237.tif 000003
【図２】
2014104237.tif 000004
【図３】
2014104237.tif 000005
【図４】
2014104237.tif 000006
【図５】
2014104237.tif 000007
【図６】
2014104237.tif 000008
【手続補正書】
【提出日】平成25年3月3日(2013.3.3)
【手続補正１】
【補正対象書類名】特許請求の範囲
【補正対象項目名】全文
【補正方法】変更
【補正の内容】
【特許請求の範囲】
【請求項１】
取っ手の後端に洗浄部材を挟みつけるヘッドを設け、複数の係止ピンと係止ピン受け入れ孔を設けた取っ手付き金属たわしにおいて、  
前記金属たわしは、ステンレス材等の金属を切削加工により連続繊維状に丸めた金属たわし玉を圧縮して一定厚みで鰐口部の半径より大きい円盤状とし、棒状の取っ手後端に設けた、下顎部と上顎部で構成される前記鰐口部に、前記金属たわしを挿入し、前記下顎部と上顎部の間で、前記金属たわしを保持する固定手段によって固定し、前記鰐口部の外周に、前記金属たわし玉の円盤状外周が、略一定幅で半円状に突出するようにしたことを特徴とする取っ手付き金属たわし。
【請求項２】
前記請求項１に記載の取っ手付き金属たわしにおいて、前記金属たわし固定手段は、前記下顎部と上顎部の両内面側に、前記鰐口部の口先から口奥に向かって傾斜する複数の片屋根形の抜け止め歯を形成し、前記鰐口部内に前記円盤状の金属たわしを挿入し、前記下顎部と上顎部のいずれか一方の外側から他方側に向けて、４本の串ピンを有する串刺し部材を貫通させ、前記４本の串ピンの略中央で前記下顎と上顎の間をねじ締して、前記金属たわしが前記鰐口部内で前記４本の串ピンとねじにより圧縮固定され、移動しないように固定したことを特徴とする取っ手付き金属たわし。
【請求項３】
前記請求項１に記載の取っ手付き金属たわしにおいて、前記金属たわし固定手段は、前記下顎部と上顎部のいずれか一方を前記取っ手と一体に形成し、他方を独立した串刺し部材として、前記串刺し部材には４本の串ピンと雌ねじを設け、前記一方の下顎部又は上顎部の内側に前記金属たわしを組込み、その上に他方の串刺し部材を組付けて、前記串ピンを前記金属たわしに貫通させ、前記一方の下顎部又は上顎部の外側から前記雌ねじに螺合する雄ねじを締めつけて、前記金属たわしが前記鰐口部内で圧縮固定され、移動しないように固定したことを特徴とする取っ手付き金属たわし。
【手続補正書】
【提出日】平成25年5月15日(2013.5.15)
【手続補正１】
【補正対象書類名】特許請求の範囲
【補正対象項目名】全文
【補正方法】変更
【補正の内容】
【特許請求の範囲】
【請求項１】
取っ手の先端に金属たわしを挟みつけるヘッドを設け、複数の串ピンと複数の串ピン孔を設けた取っ手付き金属たわしにおいて、
前記金属たわしは、ステンレス材等の金属を切削加工により連続繊維状に丸めた金属たわし玉を圧縮して一定厚みで鰐口部の半径より大きい円盤状とし、棒状の取っ手の前記ヘッドに設けた、下顎部と上顎部で構成される前記鰐口部に、前記金属たわしを挿入し、前記下顎部と上顎部の間で、前記金属たわしを保持する固定手段によって固定し、前記鰐口部の外周に、前記金属たわし玉の円盤状外周が、略一定幅で半円状に突出するようにしたことを特徴とする取っ手付き金属たわし。
【請求項２】
前記請求項１に記載の取っ手付き金属たわしにおいて、前記金属たわし固定手段は、前記下顎部と上顎部の両内面側に、前記鰐口部の口先から口奥に向かって傾斜する複数の片屋根形の抜け止め歯を形成し、前記鰐口部内に前記円盤状の金属たわしを挿入し、前記下顎部と上顎部のいずれか一方の外側から他方側に向けて、複数の串ピン有する串刺し部材を貫通させ、前記複数の串ピンの略中央で前記下顎と上顎の間をねじ締して、前記金属たわしが前記鰐口部内で前記複数の串ピンとねじにより圧縮固定され、移動しないように固定したことを特徴とする取っ手付き金属たわし。  
【請求項３】
前記請求項１に記載の取っ手付き金属たわしにおいて、前記金属たわし固定手段は、前記前記下顎部と上顎部のいずれか一方を前記取っ手と一体に形成し、他方を独立した串刺し部材として、前記串刺し部材には複数の串ピンと雌ねじを設け、前記一方の下顎部又は上顎部の内側に前記金属たわしを組込み、その上に他方の串刺し部材を組付けて、前記串ピンを前記金属たわしに貫通させ、前記一方の下顎部又は上顎部の外側から前記雌ねじに螺合する雄ねじを締めつけて、前記金属たわしが前記鰐口部内で圧縮固定され、移動しないように固定したことを特徴とする取っ手付き金属たわし。